(57)【要約】【課題】発見的創造力を、より汎用性の高い方法により測定する。【解決手段】２通り以上の見え方をする多義図形を所定時間被験者に表示する多義図形表示手段２と、被験者において前記多義図形の見え方が切り替わったことを検出する切り替わり検出手段４と、この切り替わり検出手段４から出力される切り替わり信号を受信し、当該被験者の発見的創造力を評価すべく前記所定時間における切り替わり回数等の切り替わり状況を算出する算出手段６とを備えている発見的創造力測定装置Ｅを用意する。【選択図】図３
2004057725.tif 000002
【特許請求の範囲】
【請求項１】
２通り以上の見え方をする多義図形を所定時間被験者に表示する多義図形表示手段と、被験者において前記多義図形の見え方が切り替わったことを検出する切り替わり検出手段と、この切り替わり検出手段から出力される切り替わり信号を受信し、当該被験者の発見的創造力を評価すべく前記所定時間における切り替わり回数等の切り替わり状況を算出する算出手段とを備えている発見的創造力測定装置。
【請求項２】
前記多義図形表示手段が複数種類の多義図形を選択的に表示可能なものである請求項１記載の発見的創造力測定装置。
【請求項３】
前記算出手段で算出した切り替わり状況をパラメータとして当該被験者の発見的創造力の評価値を算出する評価手段をさらに備えている請求項１又は２記載の発見的創造力測定装置。
【請求項４】
前記評価手段が、表示手段で表示した多義図形の種類をもパラメータとして当該被験者の発見的創造力の評価値を算出するものである請求項３記載の発見的創造力測定装置。
【請求項５】
被験者が被験した時期及び被験状況を示す被験データを、その被験者を識別するための被験者識別子と関連付けて蓄積する被験データ蓄積手段を更に備えている請求項１、２、３、又は４記載の発見的創造力測定装置。
【請求項６】
２通り以上の見え方をする多義図形を所定時間被験者に表示し、被験者において前記多義図形の見え方が切り替わったことを検出し、その検出結果から当該被験者の発見的創造力を評価すべく前記所定時間における切り替わり回数等の切り替わり状況を算出するようにしたことを特徴とする発見的創造力測定方法。
【発明の詳細な説明】
【０００１】
【発明の属する技術分野】
本発明は、多義図形の表示を用いた発見的創造力測定装置及び発見的創造力測定方法に関する。
【０００２】
【従来の技術】
個人の創造性の１つの側面として、物の新しい見方を発見する能力である発見的創造力がある。この能力は例えば「隠し絵」の知覚速度で評価できると考えられている。「隠し絵」とは、一見無意味な模様にしか見えない視覚的パターンだが、そこには例えば人間の顔のような明確な対象が隠されているようなものである。隠された対象に気が付くためにはパターン同士の意味のある関係付けを発見しなければならないから、その迅速さを計れば発見的創造性の評価ができる。
【０００３】
【発明が解決しようとする課題】
しかし、「隠し絵」を用いた実験は、一度答が知られてしまった刺激は使用できなくなるので汎用性がなく計測も難しい。
【０００４】
本発明は以上に述べた課題を解決し、２通り以上の見え方をする多義図形の見え方の切替り頻度が高い個人ほど「隠し絵」の発見速度も高いという正の相関があることに着目して、個人の発見的創造力をより簡単かつ正確に測定できるようにしたものである。
【０００５】
【課題を解決するための手段】
すなわち本発明に係る発見的創造力測定装置は、２通り以上の見え方をする多義図形を所定時間被験者に表示する多義図形表示手段と、被験者において前記多義図形の見え方が切り替わったことを検出する切り替わり検出手段と、この切り替わり検出手段から出力される切り替わり信号を受信し、当該被験者の発見的創造力を評価すべく前記所定時間における切り替わり回数等の切り替わり状況を算出する算出手段とを備えていることを特徴とする。
【０００６】
このようなものであれば、算出された切り替わり状況から、多義図形の見え方を切り替える速度やその揺らぎ等を測定して、この切り替え速度及びその揺らぎ等から当該被験者の発見的創造力を容易に測定することができるようになる。また、同一の多義図形を繰り返し使用して測定を行うことができるようになるので、より汎用性の高い測定を行うことができ、さらに同一被験者の発見的創造力の計時変化を評価することもできるようになる。
【０００７】
前記多義図形表示手段が複数種類の多義図形を選択的に表示可能なものであれば、複数の観点から当該被験者の発見的創造力を評価できるようになるので、発見的創造力の適性を評価することもできるようになる。
【０００８】
このような発見的創造力の評価を自動的に行うようにするための態様としては、前記算出手段で算出した切り替わり状況をパラメータとして当該被験者の発見的創造力の評価値を算出する評価手段をさらに備えているものが挙げられる。ここで、評価値とは、切り替え速度そのものや、その平均値からの差を示す値、同じくその平均値からの差を示す段階等を含む概念である。
【０００９】
特に、発見的創造力の適性の判定をも自動的に行うようにするには、前記評価手段が、表示手段で表示した多義図形の種類をもパラメータとして当該被験者の発見的創造力の評価値を算出するようにすればよい。
【００１０】
被験者の発見的創造力の経時的変化をも判断できるようにすることを具体的に実現するには、被験者が被験した時期及び被験状況を示す被験データを、その被験者を識別するための被験者識別子と関連付けて蓄積する被験データ蓄積部を更に備えればよい。このようなものであれば、同一の被験者識別子と関連付けられた被験データを検索して取り出し、被験データに含まれる被験者が被験した時期とその時期の切り替わり状況との相関を調べることにより被験者の発見的創造力の経時的変化をも判断できるようになる。
【００１１】
発見的創造力を測定する方法としては、２通り以上の見え方をする多義図形を所定時間被験者に表示し、被験者において前記多義図形の見え方が切り替わったことを検出し、その検出結果から当該被験者の発見的創造力を評価すべく前記所定時間における切り替わり回数等の切り替わり状況を算出するようにしたことを特徴とするものが挙げられる。
【００１２】
【発明の実施の形態】
以下に本発明の第１実施形態について述べる。
【００１３】
本実施形態に係る発見的創造力測定装置Ｅは、図１に概略図、図２に機器構成図をそれぞれ示すように、本体Ｅ１と、切り替わり信号入力装置Ｅ２と、文字入力装置Ｅ３と、出力装置Ｅ４とを具備する。前記本体は、図２に示すように、少なくともＣＰＵＥ１１、内部メモリＥ１２、外部記憶装置Ｅ１３、及び入出力インタフェースＥ１４を有する。これらは、前記内部メモリ又は前記外部記憶装置に格納されたプログラムを前記ＣＰＵが実行することにより、機能ブロック図を図３に示すように、少なくとも多義図形格納手段１、多義図形表示手段２、被験者識別子入力手段３、切り替わり検出手段４、計時手段５、算出手段６、評価手段７、被験データ蓄積手段８、及び結果出力手段９として機能するようにしている。
【００１４】
多義図形格納手段１は、外部記憶装置Ｅ１３の所定エリアを用いて構成していて、被験者に表示する２通り以上の見え方をする多義図形を多義図形識別子と対にして図４に示すように格納している。ここで、動的な多義図形としては、例えば図５に示すような、画面左上と画面右下に中を塗りつぶした円を表示する画面と、画面右上と画面左下に中を塗りつぶした円を表示する画面とを交互に画面上に出力するものが考えられる。この場合、中を塗りつぶした円が、上下方向に往復しているようにも見え、また左右方向に往復しているようにも見える。さらに、中を塗りつぶした円が画面の中央部を中心に回転しているようにも見える。また、静的なものとしては、図６に示すような、立方体を上方から見た斜視図と、同じ立方体を下方からみた斜視図とを重ねて描いたものが考えられる。この場合、立方体を上方から見た斜視図にも立方体を下方からみた斜視図にも見える。前記多義図形識別子は、前記多義図形を識別するためのもので、例えば多義図形ごとに付した番号である。なお、本実施形態では、最後の多義図形の次の番号に対応する多義図形識別子と対にして、表示すべき多義図形が他にないことを示す情報である多義図形表示終了情報（図４では「ｅｎｄ」と表記）を格納している。
【００１５】
多義図形表示手段２は、出力装置Ｅ１４を用いて構成していて、表示する多義図形に対応する多義図形識別子を示す情報である表示多義図形識別子を受け取り、この表示多義図形識別子と一致する多義図形識別子に対応する多義図形を所定時間被験者に表示する。
【００１６】
被験者識別子入力手段３は、文字入力装置Ｅ３を用いて構成していて、被験者の氏名、生年月日等を含むデータである被験者識別子、及び被験者の年齢を示す被験者年齢情報の入力を受け付ける。
【００１７】
切り替わり検出手段４は、切り替わり信号入力装置Ｅ２を用いて構成していて、被験者において前記多義図形の見え方が切り替わったことを、被験者によるボタン入力を受け付ける等して検出し、切り替わり検出信号を出力する。
【００１８】
計時手段５は、測定開始からの時間を計測し、測定開始から予め定めた所定時間が経過した時点で測定終了信号を発信する。
【００１９】
算出手段６は、前記切り替わり検出手段４から出力される切り替わり信号を受信し、当該被験者の発見的創造力を評価すべく前記所定時間における切り替わり回数を算出するとともに、計時手段５から測定終了信号を受信して、最終的な切り替わり回数を切り替わり状況たる切り替わり回数情報として出力する。なお、この切り替わり回数情報は、前記所定時間における切り替わり回数を示すことから、切り替わり速度を示す情報でもある。
【００２０】
評価手段７は、前記算出手段６で算出した切り替わり回数情報をパラメータとして当該被験者の発見的創造力の評価値を算出する。具体的には、例えば各多義図形について前記切り替わり回数情報として示される切り替わり回数の平均値及び標準偏差を算出するとともに、前記被験者の切り替わり回数と前記平均値の差を各多義図形について前記標準偏差で規格化した予備評価値を算出し、予備評価値の合計を評価値としている。
【００２１】
被験データ蓄積手段８は、外部記憶装置Ｅ１３の所定エリアを用いて構成していて、被験者が被験した時期及び被験状況を示す被験データを、その被験者を識別するための被験者識別子と関連付けて、図７に示すように蓄積する。ここで、前記被験データは、具体的には図８に示すように、前記被験者年齢情報及び発見的創造力の測定結果である前記評価値を含むものである。
【００２２】
結果出力手段９は、出力装置Ｅ４を用いて構成していて、被験者識別子と被験者識別子に対応する評価値とを対応付けて出力する。なお、この結果出力手段９は、多義図形を出力する前記出力装置とは別体に構成したプリンタ等の出力装置を用いてもよい。
【００２３】
以下に、この発見的創造力測定装置Ｅを用いて被験者の発見的創造力を評価する流れを図９及び図１０を参照して述べる。
【００２４】
まず、被験者識別子及び被験者年齢情報を入力する（被験者識別子入力ステップ）（Ｓ１）。次に、表示多義図形識別子を１にリセットし（Ｓ２）、多義図形格納手段１から多義図形を取得し、多義図形表示手段２に出力する（多義図形出力ステップ）（Ｓ３）とともに、測定時間及び入力回数を０にリセットする（Ｓ４）。それから、測定時間の計時を開始し、切り替わり信号の入力の受付を開始する（Ｓ５）。そして、入力を受け付けたか否かを判定し（入力受付判定ステップ）（Ｓ６）、入力を受け付けた際には切り替わり回数に１を加算する（Ｓ７）。そして、測定終了信号を受信したか否かを判定し（Ｓ８）、所定時間が経過していない場合には入力受付判定ステップに戻る。所定時間が経過した場合には、測定時間の計時を終了し、最終的な切り替わり回数を切り替わり回数情報として、被験者識別子と組にして被験データ蓄積手段８に格納する（Ｓ９）。さらに、表示多義図形識別子の値に１を加算して（Ｓ１０）、この表示多義図形識別子に多義図形表示終了情報が対応するか否かを判断する（Ｓ１１）。この判断の結果が「偽」であるならば、多義図形出力ステップに戻る。一方、この判断の結果が「真」であるならば、次の被験者がいるか否かの入力を受け付ける（Ｓ１２）。ここまでの流れを図９に示す。次の被験者がいる場合には、被験者識別子入力ステップに戻る。いない場合には、図１０に示すように、各多義図形に対する切り替わり回数情報が示す切り替わり回数の平均及び標準偏差を求める（Ｓ１３）。そして、各被験者について、各多義図形に対する切り替わり回数の平均との差を標準偏差により規格化して予備評価値を求め、この予備評価値を合計して評価値を求める（評価値計算ステップ）（Ｓ１４）。それから、求めた評価値及び被験者年齢情報を含む被験データを被験データ蓄積手段８に格納する（Ｓ１５）。そして、格納した被験データが最後のものであるか否かを調べ（Ｓ１６）、最後のものでない、すなわち評価値の算出が残っている場合には、評価値計算ステップに戻り、次の被験者について評価値を算出する。最後のものであれば、被験者識別子と被験者識別子に対応する評価値とを対応付けて出力する（Ｓ１７）。出力結果の一例を図１１に示す。
【００２５】
このように構成しているので、同一の多義図形の組を用いて切り替わり状況を繰り返し算出でき、発見的創造力をより汎用性の高い方法で測定することができる。
【００２６】
また、切り替わり回数情報をパラメータとして評価値を算出するようにしているので、自動的に発見的創造力の評価を行うことができる。特に、本実施形態ではそれぞれの多義図形における切り替わり速度の平均値及び標準偏差を求め、各測定における切り替わり速度の平均値との差を標準偏差で規格化しているので、異なる多義図形や異なる測定時間等、異なる条件下での切り替わり速度を比較することができる。
【００２７】
次に、本実施形態の第２実施形態について述べる。
【００２８】
本実施形態では、第１実施形態と同様に構成した発見的創造力測定装置Ｅを用いる。
【００２９】
発見的創造力測定装置Ｅの各部の構成については、第１実施形態と同様であるので、詳細な説明は省略する。そして、前記内部メモリＥ１２又は前記外部記憶装置Ｅ１３に格納されたプログラムを前記ＣＰＵＥ１１が実行することにより、機能ブロック図を図１２に示すように、少なくとも多義図形格納手段１、多義図形表示手段２、被験者識別子入力手段３、切り替わり検出手段４、計時手段５、算出手段６、評価手段７、被験データ蓄積手段８、結果出力手段９、及び被験データ検索手段Ｓとして機能するようにしている。
【００３０】
多義図形格納手段１、多義図形表示手段２、被験者識別子入力手段３、切り替わり検出手段４、計時手段５、算出手段６、評価手段７、被験データ蓄積手段８、及び結果出力手段９は、第１実施形態と同様の機能を有するので、これらの機能についての詳細な説明は省略する。ただし、本実施形態では被験データ蓄積手段８に既にデータが蓄積されている。
【００３１】
被験データ検索手段Ｓは、被験者識別子をキーとして、同一の被験者識別子と対応付けられた被験データ及び評価値を取得する。
【００３２】
以下に、発見的創造力測定装置Ｅを用いて個人の発見的創造力の計時変化を評価する方法を図１３及び図１４を参照して述べる。
【００３３】
まず、被験者識別子及び被験者年齢情報を入力する（被験者識別子入力ステップ）（Ｓ１）。次に、表示多義図形識別子を１にリセットし（Ｓ２）、多義図形格納手段１から多義図形を取得し、多義図形表示手段２に出力する（多義図形出力ステップ）（Ｓ３）とともに、測定時間及び入力回数を０にリセットする（Ｓ４）。それから、測定時間の計時を開始し、切り替わり信号の入力の受付を開始する（Ｓ５）。そして、入力を受け付けたか否かを判定し（入力受付判定ステップ）（Ｓ６）、入力を受け付けた際には切り替わり回数に１を加算する（Ｓ７）。そして、測定終了信号を受信したか否かを判定し（Ｓ８）、所定時間が経過していない場合には入力受付判定ステップに戻る。所定時間が経過した場合には、測定時間の計時を終了し、最終的な切り替わり回数を切り替わり回数情報として、被験者識別子と組にして被験データ蓄積手段８に格納する（Ｓ９）。さらに、表示多義図形識別子の値に１を加算して（Ｓ１０）、この表示多義図形識別子に多義図形表示終了情報が対応するか否かを判断する（Ｓ１１）。この判断の結果が「偽」であるならば、多義図形出力ステップに戻る。一方、この判断の結果が「真」であるならば、図１４に示すように、各多義図形に対する切り替わり回数の平均及び標準偏差を求め、さらに各多義図形に対する切り替わり回数の平均との差を標準偏差により規格化して予備評価値を算出し、予備評価値を合計して評価値を求める（Ｓ２１）。それから、算出した評価値と前記被験者年齢情報とを含む被験データを前記被験者識別子と組にして被験データ蓄積手段８に格納する（Ｓ２２）。そして、被験データ検索手段Ｓが、被験データ蓄積手段８から、前記被験者識別子と対応付けられた被験者データ及び評価値を検索して取得し（Ｓ２３）、先に求めた評価値とともに一覧として出力する（Ｓ２４）。出力結果の一例を図１５に示す。
【００３４】
このように構成しているので、同一の被験者に対して、発見的創造力の計時変化を評価することができ、その他第１実施形態で述べた主な効果も得ることができる。
【００３５】
なお、本発明は以上に述べた実施形態に限られない。
【００３６】
例えば、切り替わり状況として、切り替わり回数のみを計測するのでなく、切り替わり信号の入力間隔をも計測するようにしてもよい。この場合、切り替わり信号の入力間隔の標準偏差を求めておくと、切り替わり速度の揺らぎを評価しやすくなる。
【００３７】
また、それぞれの多義図形に対する切り替わり回数の平均との差を標準偏差により規格化した値又は切り替わり回数自体を成分としたベクトルを評価値として使用してもよい。さらに、複数の多義図形に対して切り替わり速度を求めてそれぞれの多義図形に対する切り替わり回数の平均との差を標準偏差により規格化した値のうち、最大のものと最大の値を記録した多義図形に対する多義図形識別子との組を評価値として用いてもよい。これらのように、評価手段により多義図形の種類をもパラメータとして当該被験者の評価値を算出するようにすれば、当該被験者の発見的創造力の適性を評価することができる。例えば、上述した第１および第２実施形態のように動的及び静的な多義図形を組み合わせれば、当該被験者の発見的創造力が動的又は静的のどちらの多義図形に対してより発揮されるか評価することができる。加えて、評価値を数値としてそのまま示すのでなく、例えば切り替わり速度が平均値と標準偏差との差を上回れば「＋」、平均値から標準偏差を差し引いたものを更に下回れば「−」、これらのうちのどちらにも該当しない場合には「０」の３段階で評価する等、離散的な段階を評価値として使用するようにしてもよい。
【００３８】
さらに、多義図形は３種類以上用いてもよく、また１種類だけ用いてもよい。さらに、２通り以上の見え方をするものであれば、多義図形はどのようなものを用いてもよい。
【００３９】
そして、被験者識別子が被験者の生年月日を含むものであれば、測定を行う時点での日時を示す現在日時情報を取得する現在日時情報取得手段と、現在日時情報取得手段が取得した現在日時情報と被験者識別子中の生年月日とから被験者年齢情報を自動的に生成する被験者年齢情報生成手段とをさらに設けるようにしてもよい。
【００４０】
加えて、被験データ格納手段は本体と別体に構成し、本体と互いに通信インタフェースを介して接続されたサーバ装置に設けるとともに、本体は１人の被験者に対する測定を終えるごとに被験者識別子、被験者年齢情報、及び切り替わり回数情報を前記サーバ装置に送信し、評価値の算出をサーバ装置において行うように構成するとよい。この場合、本体、切り替わり信号入力装置、文字入力装置、出力装置を有する発見的創造力測定装置と、前記サーバ装置を具備する発見的創造力測定システムを用いて発見的創造力の測定を行うことになる。
【００４１】
その他、本発明の趣旨を損ねない範囲で種々に変形してよい。
【００４２】
【発明の効果】
本発明は、多義図形の見え方の切り替わり状況を算出することにより、物の新しい見方を発見する能力である発見的創造力の評価を容易に行うことができるとともに、同一の多義図形を繰り返し使用できるので、より汎用性のある測定を行うことができ、さらに同一被験者の発見的創造力の計時変化も評価できる。
【図面の簡単な説明】
【図１】本発明の第１実施形態に係る発見的創造力測定装置の概略図。
【図２】同実施形態に係る発見的創造力測定装置の機器構成図。
【図３】同実施形態に係る発見的創造力測定装置の機能ブロック図。
【図４】同実施形態に係る発見的創造力測定装置が出力する多義図形の格納態様を示す図。
【図５】同実施形態に係る発見的創造力測定装置が出力する多義図形の一例を示す図。
【図６】同実施形態に係る発見的創造力測定装置が出力する多義図形の一例を示す図。
【図７】同実施形態に係る発見的創造力測定装置が使用する被験者識別子、被験データ、及び評価値の格納態様を示す図。
【図８】同実施形態に係る発見的創造力測定装置が使用する被験データの一例を示す図。
【図９】同実施形態に係る発見的創造力測定装置が行う切り替わり速度の測定の流れを示すフローチャート。
【図１０】同実施形態に係る発見的創造力測定装置が行う評価値の算出の流れを示すフローチャート。
【図１１】同実施形態に係る発見的創造力測定装置による算出結果の出力の一例を示す図。
【図１２】本発明の第２実施形態に係る発見的創造力測定装置の機能ブロック図。
【図１３】同実施形態に係る発見的創造力測定装置が行う切り替わり速度の測定の流れを示すフローチャート。
【図１４】同実施形態に係る発見的創造力測定装置が行う評価値の算出の流れを示すフローチャート。
【図１５】同実施形態に係る発見的創造力測定装置による算出結果の出力の一例を示す図。
【符号の説明】
Ｅ…発見的創造力測定装置
２…多義図形表示手段
４…切り替わり検出手段
６…算出手段
７…評価手段
８…被験データ蓄積手段
【図１】
2004057725.tif 000003
【図２】
2004057725.tif 000004
【図３】
2004057725.tif 000005
【図４】
2004057725.tif 000006
【図５】
2004057725.tif 000007
【図６】
2004057725.tif 000008
【図７】
2004057725.tif 000009
【図８】
2004057725.tif 000010
【図９】
2004057725.tif 000011
【図１０】
2004057725.tif 000012
【図１１】
2004057725.tif 000013
【図１２】
2004057725.tif 000014
【図１３】
2004057725.tif 000015
【図１４】
2004057725.tif 000016
【図１５】
2004057725.tif 000017